【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
電池(1)と、この電池(1)を内蔵するケース(2)と、このケース(2)に内蔵している電池(1)に通電されて加熱されるヒーター(3)と、このヒーター(3)に熱結合している放熱プレート(4)を備える懐炉であって、
前記電池(1)は対向する両面をフラット面(1a)としてなる角型のリチウムイオン二次電
池又はリチウムポリマー電池からなる角型二次電池(1A)で、前記ヒーター(3)は発熱体で
あって、この発熱体は電池(1)のフラット面(1a)に対向して配設され、かつ発熱体と電池(1)のフラット面(1a)との間には遮蔽プレート(5)を配設しており、さらに、ケース(2)は発熱体に熱結合して加熱される金属板からなる放熱プレート(4)を表面に配置しており、
前記角型二次電池(1A)のフラット面(1a)と前記遮蔽プレート(5)と前記発熱体と前記放
熱プレート(4)は積層構造に配置され、前記発熱体がケース(2)表面の放熱プレート(4)を
加熱するようにしてなる懐炉。
【請求項２】
発熱体が平面状である請求項１に記載される懐炉。
【請求項３】
平面状の発熱体が電池(1)のフラット面(1a)と平行に配設されている請求項２に記載さ
れる懐炉。
【請求項４】
発熱体が、平面状ＰＴＣヒーター(3A)である請求項２または３に記載される懐炉。
【請求項５】
ケース(2)が角型二次電池(1A)を内蔵するプラスチック製の第１ケース(2A)と第２ケー
ス(2B)とを備え、第２ケース(2B)が遮蔽プレート(5)を一体的に成形すると共に、表面に
放熱プレート(4)を固定しており、角型二次電池(1A)が第１ケース(2A)と遮蔽プレート(5)との間に配設され、発熱体を遮蔽プレート(5)と放熱プレート(4)との間に配設している請求項１に記載される懐炉。
【請求項６】
角型二次電池(1A)から発熱体に供給する電力をコントロールする制御回路(6)と、放熱
プレート(4)の温度を検出する温度センサ(10)とを備え、制御回路(6)が供給電力をコントロールして放熱プレート(4)の温度を制御する請求項１に記載される懐炉。
【請求項７】
制御回路(6)が、放熱プレート(4)の初期設定温度をノーマル設定温度よりも高く制御する請求項６に記載される懐炉。
【請求項８】
制御回路(6)が、電池(1)と発熱体との間に接続しているスイッチング素子(11)と、このスイッチング素子(11)をコントロールする制御部(12)とを備え、制御部(12)がスイッチング素子(11)を所定の周期でオンオフに切り換えるデューティーを制御して、放熱プレート(4)の温度をコントロールする請求項６に記載される懐炉。
【請求項９】
発熱体の反対側に外気温度センサ(16)を配置しており、この外気温度センサ(16)の検出温度で懐炉の非使用状態を判定して電源をオフにする請求項１に記載される懐炉。
【請求項１０】
ケース(2)内に、電池(1)で駆動されるバイブレータ(17)を内蔵している請求項１に記載
される懐炉。
【請求項１１】
設定温度が異なる複数の発熱体を内蔵しており、通電する発熱体を切り換えて放熱プレート(4)の温度をコントロールする請求項１に記載される懐炉。
【請求項１２】
電池(1)の両面に遮蔽プレート(5)、(55)を介して発熱体と放熱プレート(4)、(54)を設
けている請求項１に記載される懐炉。
【請求項１３】
制御回路(6)が設定温度を記憶するメモリ(13)を備えると共に、この制御回路(6)に接続しているＵＳＢ端子(14)を有し、このＵＳＢ端子(14)を介してコンピュータに接続されて、メモリ(13)に記憶される設定温度が変更されるようにしてなる請求項６に記載される懐炉。
【請求項１４】
ケース(2)に設けている複数のＬＥＤ(15)を備えると共に、制御回路(6)がＬＥＤ(15)の点灯状態を記憶するメモリ(13)を内蔵しており、さらに、制御回路(6)に接続しているＵ
ＳＢ端子(14)を備え、このＵＳＢ端子(14)を介してコンピュータに接続されて、メモリ(13)に記憶されるＬＥＤ(15)の点灯状態が変更されるようにしてなる請求項６に記載される懐炉。
【請求項１５】
放熱プレート(4)の表面をエラストマー(9)で被覆している請求項１に記載される懐炉。
【請求項１６】
平面状ＰＴＣヒーター(3A)が電池(1)と直列に接続されて、電池(1)の保護回路に併用されてなる請求項４に記載される懐炉。
【請求項１７】
制御回路(6)が、電池(1)の温度を検出する温度センサ(18)を備え、電池温度が設定温度よりも低い状態で、発熱体が電池(1)を余熱する請求項６に記載される懐炉。
【請求項１８】
電池(1)がリチウムポリマー電池で、放熱プレート(74)とケース(72)が変形できる請求
項１に記載される懐炉。
【請求項１９】
ケース(2)に電池(1)の充電回路(25)、(35)を内蔵している請求項１に記載される懐炉。
【請求項２０】
充電回路(35)が、無接点充電回路(32)を備える請求項１９に記載される懐炉。
【請求項２１】
充電回路(25)がＵＳＢ端子(14)に接続され、ＵＳＢ端子(14)から電池(1)を充電するよ
うにしてなる請求項１９に記載される懐炉。
【請求項２２】
ケース(2)に充電回路(25)に接続されるＡＣプラグ(31)を設けており、このＡＣプラグ(31)をコンセントに接続して電池(1)を充電するようにしてなる請求項１９に記載される懐炉。
【請求項２３】
放熱プレート(4)の表面に無数の凹凸(4a)を設けている請求項１に記載される懐炉。
【請求項２４】
放熱プレート(84)が内面に平面部(84A)を有し、この平面部(84A)をヒーター(3)に熱結
合している請求項１に記載される懐炉。
【請求項２５】
放熱プレート(84)とヒーター(3)との間に、ヒーター(3)に通電する金属板(88)を配設しており、金属板(88)は放熱プレート(84)に面接触して熱結合され、ヒーター(3)には突出
部(88a)を介して電気接続している請求項１に記載される懐炉。
【請求項２６】
ヒーター(3)に通電する電池(1)から電力を供給する防犯ブザー(80)を内蔵している請求項１に記載される懐炉。
【請求項２７】
電池(1)の残容量又は電圧を検出して、残容量又は電圧が設定値よりも小さくなるとヒ
ーター(3)への通電を遮断して防犯ブザー(80)にのみ電力を供給する状態に切り換える制
御部(12)を内蔵する請求項２６に記載される懐炉。
【請求項２８】
電池(1)と、この電池(1)を内蔵するケース(2)と、このケース(2)に内蔵している電池(1)に通電されて加熱されるヒーター(3)と、このヒーター(3)に熱結合している放熱プレート(4)を備える懐炉であって、
前記電池(1)は対向する両面をフラット面(1a)としてなる角型のリチウムイオン二次電池又はリチウムポリマー電池からなる角型二次電池(1A)で、前記ヒーター(3)は平面状の発熱体であって、この発熱体は電池(1)のフラット面(1a)に対向して配設され、ケース(2)は発熱体に熱結合して加熱される金属板からなる放熱プレート(4)を表面に配置しており、
前記発熱体がケース(2)表面の放熱プレート(4)を加熱するようにしてなる懐炉。
【請求項２９】
懐炉はさらに、
電池(1)の残容量を検出する制御部(12)と、
ケース(2)に備えられ、電源をＯＮ／ＯＦＦするための電源スイッチ(19)と、
ケース(2)に備えられ、前記電池(1)の残容量に応じて予め決定された異なる点灯パターンにて点灯可能なＬＥＤ(15)を備え、
前記電源スイッチ(19)をＯＦＦした際、前記制御部(12)が電池(1)の残容量を検出する
と共に、該検出された残容量に応じた点灯パターンにて、前記ＬＥＤ(15)を点灯するよう構成してなることを特徴とする請求項１又は２８に記載される懐炉。
【請求項３０】
電池(1)と、この電池(1)を内蔵するケース(2)と、このケース(2)に内蔵している電池(1)に通電されて加熱されるヒーター(3)と、このヒーター(3)に熱結合している放熱プレート(4)を備える懐炉であって、
前記電池(1)が延在する方向の面を有し、
前記ヒーター(3)は平面状の発熱体であって、この発熱体は電池(1)の延在する方向の面に平行に配設され、ケース(2)は発熱体に熱結合して加熱される金属板からなる放熱プレート(4)を表面に配置しており、
前記発熱体がケース(2)表面の放熱プレート(4)を加熱するようにしてなる懐炉。
【手続補正２】
【補正対象書類名】明細書
【補正対象項目名】００２６
【補正方法】変更
【補正の内容】
【００２６】
本発明の懐炉は、ヒーター３に通電する電池１から電力を供給する防犯ブザー８０を内蔵することができる。さらに、本発明の懐炉は、電池１の残容量又は電圧を検出して、残容量又は電圧が設定値よりも小さくなるとヒーター３への通電を遮断して防犯ブザー８０にのみ電力を供給する状態に切り換える制御部１２を内蔵することができる。
本発明の懐炉は、電池１と、この電池１を内蔵するケース２と、このケース２に内蔵している電池１に通電されて加熱されるヒーター３と、このヒーター３に熱結合している放熱プレート４を備える懐炉であって、電池１は対向する両面をフラット面１ａとしてなる角型のリチウムイオン二次電池又はリチウムポリマー電池からなる角型二次電池１Ａで、ヒーター３は平面状の発熱体であって、この発熱体は電池１のフラット面１ａに対向して配設され、ケース２は発熱体に熱結合して加熱される金属板からなる放熱プレート４を表面に配置しており、発熱体がケース２表面の放熱プレート４を加熱するようにしてなる。
本発明の懐炉はさらに、電池１の残容量を検出する制御部１２と、ケース２に備えられ、電源をＯＮ／ＯＦＦするための電源スイッチ１９と、ケース２に備えられ、前記電池１の残容量に応じて予め決定された異なる点灯パターンにて点灯可能なＬＥＤ１５を備えることができる。この懐炉は、前記電源スイッチ１９をＯＦＦした際、前記制御部１２が電池１の残容量を検出すると共に、該検出された残容量に応じた点灯パターンにて、前記ＬＥＤ１５を点灯するよう構成できる。
本発明の懐炉は、電池１と、この電池１を内蔵するケース２と、このケース２に内蔵している電池１に通電されて加熱されるヒーター３と、このヒーター３に熱結合している放熱プレート４を備える懐炉であって、前記電池１が延在する方向の面を有し、前記ヒーター３は平面状の発熱体であって、この発熱体は電池１の延在する方向の面に平行に配設され、ケース２は発熱体に熱結合して加熱される金属板からなる放熱プレート４を表面に配置しており、前記発熱体がケース２表面の放熱プレート４を加熱するようにしてなる。
【手続補正３】
【補正対象書類名】明細書
【補正対象項目名】００５１
【補正方法】変更
【補正の内容】
【００５１】
さらに、本発明の請求項２７の懐炉は、電池の残容量又は電圧を検出して、設定値よりも小さくなるとヒーターへの通電を遮断して防犯ブザーにのみ電力を供給するので、緊急時に電池が切れるのを阻止して、防犯ブザーを確実に作動させることができる。
そして、本発明の請求項２８の懐炉は、角型二次電池と、平面状のヒーター３である発熱体と、放熱プレートが配置されるので、小型で軽量化して、持ち運びに便利である。
さらに、本発明の請求項２９の懐炉によれば、ユーザは懐炉の電源スイッチをＯＦＦすることで、ＬＥＤの点灯パターンから、その時点における電池の残容量を確認することができる。
そして、本発明の請求項３０の懐炉は、小型で軽量化して、持ち運びに便利である。